(57)【要約】【課題】閉止状態の例えば電動シャッター等を停電時等に非常開放する際に、作業者が天井裏に潜入等することなく容易に開放動作させることができる非常開放装置を備えた開閉装置を得ることにある。【解決手段】構造物の天井裏等に配置され、開閉体３を開閉駆動する開閉機７と、この開閉機７の回転力を直接的又は間接的に伝える回転軸７ａに一端部を接続し、他端部を操作容易な位置に配置した回転力伝達部材１０を備えたものである。【選択図】図３
2008150797.tif 000002
【特許請求の範囲】
【請求項１】
開閉体を開閉駆動する開閉機と、この開閉機の回転力を直接的又は間接的に伝える回転軸に一端部を接続し、他端部を操作容易な位置に配置した回転力伝達部材とを備えた開閉装置。
【請求項２】
前記回転力伝達部材は、フレキシブルシャフトからなり、このフレキシブルシャフトの他端部には前記フレキシブルシャフトに回転力を付与する回転操作部材が接続されていることを特徴とする請求項１記載の開閉装置。
【請求項３】
前記回転操作部材は携帯用の充電式回転電動工具で回転駆動されるようになっていることを特徴とする請求項２記載の開閉装置。
【請求項４】
前記回転操作部材は、開閉体の開方向にのみ回転可能とする逆回転防止機構を備えていることを特徴とする請求項２または請求項３記載の開閉装置。
【発明の詳細な説明】
【技術分野】
【０００１】
この発明は、例えば、スクリーンシャッター装置やオーバーヘッドドアを含むシャッター装置、ロールスクリーン装置、ブラインド、オーニング装置等、開閉体により開口部を開閉する開閉装置であって、閉止状態又は開放状態の開閉体を開放又は閉鎖することができるようにした開閉装置に関するものである。
【背景技術】
【０００２】
一般に従来の電動シャッターは、建物など構造物の開閉用空間部を昇降開閉するためのシャッターカーテンを、前記構造物の天井裏、またはシャッターケースに配置された開閉機（モータ等）によって昇降駆動するようになっている。このような電動シャッターでは、停電時に所定の操作を行うことにより、シャッターカーテン自体が自重降下して全閉状態に保持されるように構成されている。そこで、停電時において、全閉状態のシャッターカーテンを開放する際、前記開閉機の出力回転軸（回転軸）をその近傍に備え付けの手動操作用ハンドルで回転させることにより前記シャッターカーテンを巻き上げ開放するようにしている。
【０００３】
さらに詳しく説明すると、前記開閉機および手動操作用ハンドルは構造物の天井裏に配置されているため、停電等の非常時におけるシャッターカーテンの開放に際しては、脚立を使用して前記構造物の天井面に設けられている点検口の蓋を開け、この点検口から前記天井裏に作業者の少なくとも上半身を潜入させ、この状態で手動操作用ハンドルを備え付け場所から取り外して前記開閉機の出力回転軸に嵌め込んで当該出力回転軸を回転させているのが実情である。
【０００４】
また、従来の類似技術として、例えば手動式シャッターを携帯用電動ドリルで開閉できるようにしたシャッター巻上げ装置も知られている（例えば、特許文献１参照）。
【０００５】
【特許文献１】実開平６−１０５９６号公報
【０００６】
この特許文献１によるシャッター巻上げ装置は、シャッター本来の巻上げ機構とは別体構造のもので、三脚に高さ調整可能に取り付けられた支持台にチェーンプーリを回転自在に取り付けると共に、そのチェーンプーリを回転駆動するための携帯用電動ドリルを組み付けた構成となっており、例えば手動式シャッターの開閉に際して、手動式開閉機から垂下する手動操作用の開閉チェーンを前記支持台上のチェーンプーリに巻回噛合させ、その開閉チェーンを前記支持台の高さ調整により緊張させた状態で前記携帯用電動ドリルによって前記チェーンプーリを回転駆動することによりシャッターの開閉を動力化したものである。なお、特許文献１によるシャッター巻上げ装置は電動シャッター取付工事の際のシャッター巻上げ作業にも利用可能としている。
【発明の開示】
【発明が解決しようとする課題】
【０００７】
従来の電動シャッターでは、停電等の非常時に閉止状態のシャッターカーテンを開放する際に、脚立を使用して構造物天井面の点検口の蓋を開けて当該点検口から天井裏に作業者の少なくとも上半身を潜入させ、手動操作用ハンドルを備え付け場所から取り外して開閉機の出力回転軸に嵌め込まなければ当該出力回転軸を回転操作することができず、このような高所作業は、天井裏に種々の機器や電気配線等が配置されていることもあって手間がかかるのみならず、特に危険が伴うため、ユーザが容易に開放作業を行うことができないという課題があった。
【０００８】
その点、特許文献１のシャッター巻上げ装置では、手動式シャッターの場合、手動式開閉機から垂下する手動操作用の開閉チェーンを利用して携帯用電動ドリルの回転動力により、床面上でシャッター開閉を行うことはできるが、そのシャッター開閉を実施するまでには、三脚上の支持台の高さ調整のみならず、その支持台への携帯用電動ドリルの組み付け位置調整を数多くの調整ボルトで行わなければならず、多くの手数がかかって作業性が悪いという課題があった。
【０００９】
また、特許文献１のシャッター巻上げ装置を、既設の電動シャッターにおける停電時などの非常開放装置として適用することは困難を伴う。すなわち、特許文献１のシャッター巻上げ装置において、三脚上の支持台に取り付けられて携帯用電動ドリルで回転駆動されるチェーンプーリには、前述のように開閉機から垂下する開閉チェーンを巻回噛合させるようになっているが、その開閉チェーンは手動式シャッターの手動開閉操作用チェーンであって、このような開閉チェーンを電動シャッターは標準的に備えていないため、前述のように特許文献１のシャッター巻上げ装置は電動シャッターの非常開放装置として適用できない場合がある。
【００１０】
この発明は上記のような課題を解決するためになされたもので、閉止状態の例えば電動シャッター等を停電時等の非常時に開放する際に、作業者が天井裏に潜入等することなく容易に開放動作させることができる非常開放装置を備えた開閉装置を得ることを目的とする。
【課題を解決するための手段】
【００１１】
この発明に係る開閉装置は、構造物の天井裏等に配置され、開閉体を開閉駆動する開閉機と、この開閉機の回転力を直接的又は間接的に伝える回転軸に一端部を接続し、他端部を操作容易な位置に配置した回転力伝達部材とを備えたものである。なお、この発明において、前記操作容易な位置とは、人が床面上に立った状態で操作可能な位置をいう。
【発明の効果】
【００１２】
この発明によれば、構造物の天井裏等に配置され、例えばシャッター等の開閉体を開閉駆動する開閉機の回転力を直接的又は間接的に伝える回転軸に一端部を接続した回転力伝達部材の他端部を操作容易な位置に配置した構成としたので、停電時等の非常時に閉止状態の電動シャッターを開放する際に、作業者が天井裏に潜入すること等による危険な高所作業を必要とせずに、前記回転力伝達部材を介して開閉機の出力回転軸をシャッター開方向に容易に回転させることができるという効果がある。
【発明を実施するための最良の形態】
【００１３】
実施の形態１．
図１はパネルシャッターの正面図、図２は図１のＡ−Ａ線に沿った拡大断面図、図３はこの発明の実施の形態１による開閉装置に適用したシャッター非常開放装置を図２中の開閉機との関連で示す要部拡大図、図４は図３の要部拡大図、図５は図４中のフレキシブルシャフトにおける回転操作部材の接続コネクタ部位をさらに拡大した図である。
図１に示す電動シャッターはパネルシャッターからなり、建物などの構造物における開閉用空間部（シャッター開閉用開口）の両側に配置された左右一対のガイドレール１と、これらのガイドレール１の上部に設けられて前記構造物の天井裏や構造物の壁面に配置されたシャッターケース（シャッター収納部）２と、前記両ガイドレール１間を昇降させるシャッターカーテン（開閉体）３と、前記シャッターケース２内に配置されて前記シャッターカーテン３を昇降駆動する開閉機７（図２参照）とを備えている。
【００１４】
さらに詳述すると、前記両ガイドレール１は、それぞれの対向面にシャッターカーテンガイド用の開口部１ａ（図２参照）を有する横断面コ字形状の部材からなっている。前記シャッターカーテン３は、前記開口部１ａに両側部が昇降自在に嵌め込まれた複数のパネル３ａからなっている。これらのパネル３ａは、それぞれの両側上部に取り付けられた吊りローラ４のローラ軸を介して左右一対のパネル連繋チェーン５で一連に吊持されている。これらのパネル連繋チェーン５は、図２に示すように、前記シャッターケース２内におけるガイドレール１の上方に配置された左右一対のパネル昇降駆動系のスプロケット６に噛合している。このスプロケット６は前記開閉機（モータ）７により動力伝達機構８を介して回転駆動するようになっている。
【００１５】
前記動力伝達機構８は、図２および図３に示すように、前記開閉機７の出力回転軸（回転軸）７ａの一方端部に嵌着された出力スプロケット７ｂと、前記パネル昇降駆動系のスプロケット６と同期回転する入力スプロケット８ｃとを連動するチェーン・スプロケット機構８ａ，８ｂからなっている。
【００１６】
また、前記シャッターケース２内には、左右のガイドレール１間を上昇してパネル昇降駆動系の左右のスプロケット６間を通過したパネル３ａの吊りローラ４を転動自在に支承する収納レール９が配置されている。したがって、前記パネル３ａは、前記開閉機７によるスプロケット６の正逆回転駆動時に当該スプロケット６によるパネル連繋チェーン５の送り動作によって、前記ガイドレール１に沿った直列姿勢の縦移動と、前記収納レール９に沿った横移動とに継送されるようになっている。
【００１７】
以上のように構成されたパネルシャッターにおいて、前記開閉機７の出力回転軸７ａにおける出力スプロケット７ｂと反対側の軸端部には、図３に示すように、回転操作系の回転力伝達部材１０の一端部が一体回転可能に接続されており、この回転力伝達部材１０の他端部は構造物の天井部材１１から回転可能に配置されている。なお、構造物の天井部材１１は前記シャッターケース２の底板部材であってもよい。したがって、この発明において、前記構造物の天井部材１１とは底板部材をも含むものである。
さらに、この回転力伝達部材１０の他端部の配置位置は、これらに限定されることなく、例えば、構造物の壁面位置やシャッターケース２の外面等、使用者が床面上に立った状態で人為的に操作容易な位置であれば如何なる位置でもかまわない。
【００１８】
この実施の形態１において、前記回転力伝達部材１０は、図３に示すように、前記出力回転軸７ａの軸端部に一端部が一体回転可能に接続されて、他端部が前記天井面部１１に導出されたフレキシブルシャフト１０からなっている。このフレキシブルシャフト１０は両端部にジョイントソケット１２，１３を一体的に有している。その一方端のジョイントソケット１２は前記出力回転軸７ａの軸端部に一体回転可能に嵌着されている。
また、他方端のジョイントソケット１３は、図４に示すように、天井部材１１にベアリング１４を介して回転可能に取り付けられている。他方端のジョイントソケット１３には、天井部材１１の下面（天井面）から突出するコネクタピン１５が一体回転可能に連結されている。このコネクタピン１５には径方向外方に突出する係合ピン（係合突起）１６が一体的に設けられている。
なお、図４に示す１３ａおよび１３ｂは、たとえば、止めねじであり、フレキシブルシャフト１０と、コネクタピン１５とを着脱自在に固定している。
【００１９】
前記コネクタピン１５には、前記フレキシブルシャフト１０を回転させるための回転操作部材１７が着脱可能に差し込み接続されるようになっている。この回転操作部材１７は一本棒状のパイプ部材からなり、その一端部（図では上端部）には前記コネクタピン１５に嵌め込むコネクタソケット１８が一体的に設けられている。このコネクタソケット１８の先端部には前記コネクタピン１５に嵌め込み係合させるための切欠係合部１８ａが設けられている。また、前記回転操作部材１７の他端部（図では下端部）には、携帯用充電式電動ドリル等の携帯用充電式回転電動工具（図示せず）のコレクトチャックを着脱可能に嵌め込み係合させるためのコネクタピン１９が一体的に設けられている。
【００２０】
なお、前記開閉機７の内部もしくは当該開閉機７の出力回転軸７ａとフレキシブルシャフト１０との連結部等には、前記出力回転軸７ａを一体回転させるフレキシブルシャフト１０の回転方向をシャッター開方向のみに設定するためのラチエットのような逆回転防止機構（図示せず）を設けておき、また、トルクリミッタをも組み込んでおくことが望ましい。
【００２１】
次に動作について説明する。
左右のガイドレール１間をシャッターカーテン３が全閉している状態において、停電等により開閉機７への電力供給が遮断された非常時に前記シャッターカーテン３を開放する際、近傍に備え付けの回転操作部材１７を使用してフレキシブルシャフト１０をシャッターの開方向に回転させる。この場合、前記フレキシブルシャフト１０先端のコネクタピン１５が天井部材１１の下面すなわち天井面から下向きに突出しているので、そのコネクタピン１５に下方から回転操作部材１７のコネクタソケット１８を嵌め込んで当該コネクタソケット１８の切欠係合部１８ａを前記コネクタソケット１５の係合ピン１６に係合させた後、前記回転操作部材１７を一方向（シャッター開方向）に回転操作する。この回転操作によって、フレキシブルシャフト１０が回転し、これと一体に開閉機７の出力回転軸７ａが回転することにより、この出力回転軸７ａ上のパネル昇降駆動系スプロケット６に噛合しているパネル連繋チェーン５を介して前記シャッターカーテン３が引き上げ開放される。
【００２２】
以上の動作は、前記回転操作部材１７だけによる人為的回転操作のみによってシャッターカーテン３を開放する場合であるが、前記回転操作部材１７の下端にはコネクタピン１９を利用して充電式回転電動工具のコレクトチャックを接続することができるため、その充電式回転電動工具により前記回転操作部材１７を介してフレキシブルシャフト１０を回転駆動することで、前記シャッターカーテン３を速やかに開放することができる。
【００２３】
以上説明した実施の形態１によれば、シャッターカーテン３を昇降駆動する開閉機７の出力回転軸７ａの軸端部にフレキシブルシャフト１０の一端部を一体回転可能に接続すると共に、そのフレキシブルシャフト１０の他端部を構造物の天井面１１から下方に導出させ、その導出端部に回転操作部材１７の一端部を着脱可能に差し込み係合させて当該回転操作部材１７により前記フレキシブルシャフト１０を介して前記出力回転軸７ａをシャッター開方向に回転させることができるように構成したので、停電などにより前記開閉機７への電力供給が遮断された非常時に閉止状態のシャッターカーテン３を開放する際、作業者が従来のように天井裏に潜入するような高所作業を行う必要がなく、前記回転操作部材１７による安全な床上作業で閉止状態のシャッターカーテン３を容易に開放することができるという効果がある。
【００２４】
また、前記回転操作部材１７には携帯用の充電式回転電動工具のコレクトチャックを接続可能としたことにより、人力手動で開閉機７の出力回転軸７ａを回転させていた場合、閉止状態のシャッターカーテン３を開放する場合、３０分から３時間程度必要としたのに比べ、充電式回転電動工具の回転動力を使用した場合、１０分の1〜２０分の１程度の時間で済み、停電時等における閉止状態のシャッターカーテン３を速やかに開放することができるという効果がある。
【００２５】
さらに、前記フレキシブルシャフト１０は、そのフレキシブル特性を活かして天井面への導出個所を任意に選択設定することができるという効果がある。ここで、前記フレキシブルシャフト１０はバネ様の鋼線を撚成した構造となっているため、その鋼線撚成方向と逆方向に回転させると撚り鋼線が解けるが、前記実施の形態１では、鋼線撚成方向にのみ回転可能として鋼線撚成方向と逆方向には回転しないようにラチエット等の逆転防止機構を開閉機７等に内蔵させたので、撚り鋼線の解けによるフレキシブルシャフト１０の損壊を防止することができるという効果がある。
【００２６】
なお、前記実施の形態１では、前記フレキシブルシャフト１０とは別体の一本棒状をなす回転操作部材１７を用いて前記フレキシブルシャフト１０を回転させるようにしたが、フレキシブルシャフト１０における天井面１１からの導出端部に回転操作用のハンドルを直に取り付けてもよい。この場合においても、停電時等のシャッター非常開放に際して作業者が天井裏に潜入することなくハンドル操作を行うことができるという効果がある。また、回転力伝達部材１０はフレキシブルシャフトに特定されるものではなく、開閉機７の出力回転軸７ａに一端部が一体回転可能に連結されて他端部が天井面に導出されたものであれば、ウォームギアや傘歯車を組み合わせた構成やユニバーサルジョイントによる構成等、いかなる構成の回転力伝達部材１０であってもよい。また、前記出力回転軸７ａと天井部材１１の間の空間が躯体形状、または配管や配線等の建物側設備により天井内のスペースが取れない場合には、フレキシブルシャフトによる態様が、より好ましい。
【００２７】
また、前記実施の形態１では、電動シャッターとしてパネルシャッターを説明したが、この発明の開閉装置として例示した電動シャッターの非常開放装置はパネルシャッター以外の例えばスラットで構成され、巻き取り・巻き戻しにより開閉するシャッターなど、要するに電動開閉機で開閉体を開閉駆動する全ての開閉装置（例えば、スクリーンシャッター装置やオーバーヘッドドアを含むシャッター装置、ロールスクリーン装置、ブラインド、オーニング装置等）に適用可能である。
【００２８】
また、前記回転力伝達部材１０の一端部は、開閉機の回転力が直接伝わらない部位、例えばスプロケットやスラット等の巻取軸でも良い。
【００２９】
さらに、前記実施の形態１で回転力伝達部材として適用したフレキシブルシャフト１０と回転操作部材１７との接続部位は、防犯上室内側に設置するのが好ましい。さらに、前記回転操作部材１７は、フレキシブルシャフトのような可撓性のものでもよいし、ユニバーサルジョイントを用いたものでもよい。
【図面の簡単な説明】
【００３０】
【図１】パネルシャッターの正面図である。
【図２】図１のＡ−Ａ線に沿った拡大断面図である。
【図３】この発明の実施の形態１による開閉装置に適用したシャッター非常開放装置を図２中の開閉機との関連で示す要部拡大図である。
【図４】図３の要部拡大図である。
【図５】図４中のフレキシブルシャフトにおける回転操作部材の接続コネクタ部位を示すさらに拡大した図である。
【符号の説明】
【００３１】
１  ガイドレール
１ａ  開口部
２  シャッターケース（シャッター収納部）
３  シャッターカーテン（開閉体）
３ａ  パネル
４  吊りローラ
５  パネル連繋チェーン
６  パネル昇降駆動系スプロケット
７  開閉機
７ａ  出力回転軸（回転軸）
７ｂ  出力スプロケット
８  動力伝達機構
８ａ，８ｂ  チェーン・スプロケット機構
８ｃ  入力スプロケット
９  収納レール
１０  回転力伝達部材（フレキシブルシャフト）
１１  天井部材
１２，１３  ジョイントソケット
１３ａ，１３ｂ  止めねじ
１４  ベアリング
１５  コネクタピン
１６  係合ピン
１７  回転操作部材
１８  コネクタソケット
１８ａ  切欠係合部
１９  コネクタピン
【図１】
2008150797.tif 000003
【図２】
2008150797.tif 000004
【図３】
2008150797.tif 000005
【図４】
2008150797.tif 000006
【図５】
2008150797.tif 000007